(57)【要約】      （修正有）【課題】ノック機構を使用することなく、簡易な構成で容易かつ迅速にリフィルをボディから突出させることができると共に、安定して筆記することができるボールペンを提供する。【解決手段】筒状のボディ部１１と、該ボディ部内に軸方向に移動可能に挿通配置されたリフィル部１２とを備え、使用時には上記リフィル部の先端部１４を上記ボディ部から突出させて筆記するボールペン１０であって、上記リフィル部に軸方向に摺動可能に挿通された錘部１５と、上記リフィル部の上記ボディ部への収納時に後端部１６を収納保持する凹部１７及び上記リフィル部の突出時に後端部が係合する係合部１９を有するリフィル収納支持部２０と、上記錘部よりも先端部側に固定され、上記リフィル部の径方向において長さ寸法が異なって形成されている捶ストッパー部２１とを有する。【選択図】図１
0003161910.tif 000002
【実用新案登録請求の範囲】
【請求項１】
筒状のボディ部と、上記ボディ部内に軸方向に移動可能に挿通配置されたリフィル部とを備え、使用時には上記リフィル部の先端部を上記ボディ部から突出させて筆記するボールペンであって、
上記リフィル部に軸方向に摺動可能に挿通された錘部と、上記リフィル部の上記ボディ部への収納時に後端部を収納保持する凹部及び上記リフィル部の突出時に後端部が係合する係合部を有するリフィル収納支持部と、上記錘部よりも先端部側に固定され、上記リフィルの径方向において長さ寸法が異なって形成されている捶ストッパー部とを備えることを特徴とするボールペン。
【請求項２】
上記リフィル収納支持部は筒状に形成され、上記凹部は幅方向中央部に形成される一方、上記係合部は上記凹部の周囲に形成された段部により構成されていることを特徴とする請求項１記載のボールペン。
【請求項３】
上記リフィル収納支持部は、上記ボディ部とは別体に形成され、クリップ部と一体に形成された筒状部材により構成されていることを特徴とする請求項  １記載のボールペン。
【請求項４】
上記錘部は全体円筒状に形成されていることを特徴とする請求項３記載のボールペン。
【請求項５】
上記リフィルの先端部にはコイルスプリングが挿通配置され、上記コイルスプリングの先端部は上記ボディ部の先端開口部の周縁部に係合固定されると共に、上記コイルスプリングの後端部は、上記錘ストッパー部の先端部側端部に係合固定されることを特徴とする請求項４記載のボールペン。
【請求項６】
上記錘ストッパー部は円筒状に形成され、上端部は軸方向に沿って斜めに形成された斜端面部として形成されていることを特徴とする請求項５記載のボールペン。
【考案の詳細な説明】
【技術分野】
【０００１】
本考案はボールペンの改良に関する。
【背景技術】
【０００２】
従来、ノック式のボールペンは、ノック機構によりリフィルが筒状のボディ部内に収納されると共に、筆記時にはリフィルがボディ部から突出するように構成されたものが一般的である。
【０００３】
この場合、上記ノック機構は構成部品点数が多くなりコストが嵩むことから、従来、図３に示すような、ノック機構を有さず、リフィル３０の先端部側に錘３３を固定すると共に、所定の径寸法を有する円筒状のボディ３１の内部の後端部に段部３２を設けたボールペン３４があった。
【０００４】
上記ボールペン３４を使用する際には、上記ボディ３１の先端部を下方になるように手で保持し、上記錘３３の重さでリフィル３０をボディ３１内で下降させ、その後、ボディ３１を径方向に振ることにより、上記リフィル３０の後端部を上記段部３２に係合させることにより、ボディ３１の上記段部にリフィル３０を固定させて筆記し、使用時には、再度、ボディ３１を径方向に振ることにより上記リフィル３０の上記段部３２との係合を解除して、その後、ボディ３１を、先端部を上方にすることにより上記錘３３の重さでリフィル３０をボディ３１の先端開口部３５から後退させ、リフィル３０をボディ３１内に収納するように構成されている。
【０００５】
このように構成された従来のボールペン３４にあっては、使用時にリフィル３０の後端部を上記段部３２に係合させることが必要であるが、リフィル３０が上記段部３２に係合するまでボディ３１を径方向に振らねばならず、筆記する際に、容易かつ迅速にリフィル３０の先端部をボディ３１から突出させることができない、という不具合が存していた。
【０００６】
また、リフィル３０がボディ３１の先端部から突出し、筆記している場合であっても、ボディ３１の保持の仕方又は振動によってはリフィル３０の後端部の段部３２との係合が外れやすく、安定して筆記することができない、という不具合も存していた。
【考案の開示】
【考案が解決しようとする課題】
【０００７】
本考案の課題は、ノック機構を使用することなく、簡易な構成で容易かつ迅速にリフィルをボディから突出させることができると共に、安定して筆記することができるボールペンを提供することにある。
【課題を解決するための手段】
【０００８】
上記課題を解決するため、請求項１記載の考案にあっては、筒状のボディ部と、上記ボディ部内に軸方向に移動可能に挿通配置されたリフィル部とを備え、使用時には上記リフィル部の先端部を上記ボディ部から突出させて筆記するボールペンであって、上記リフィル部に軸方向に摺動可能に挿通された錘部と、上記リフィル部の上記ボディ部への収納時に後端部を収納保持する凹部及び上記リフィル部の突出時に後端部が係合する係合部を有するリフィル収納支持部と、上記錘部よりも先端部側に固定された錘ストッパー部とを備えたことを特徴とする。
【０００９】
従って、請求項１記載の考案にあっては、非使用時には上記リフィル部の後端部は、上記リフィル収納支持部の凹部内に収納され、リフィル先端部はボディ部内に後退していると共に、使用時には上記ボディを把持して軸方向に振ることにより上記錘部をリフィル部に沿ってリフィル部先端部方向へ摺動させて上記錘ストッパー部に衝接させることにより、上記リフィル部を上記リフィル部の凹部内から排出させて係合部に係合させることによりリフィル部を上記ボディ部から突出させて筆記する。
【００１０】
そして、使用時に、上記のようにボディを把持してボディの軸方向に振り、上記錘部が錘ストッパー部に衝接した場合には、錘部は錘ストッパー部の長さが短い部位へ傾いて停止し、リフィル部も錘ストッパー部の長さが短い部位へ傾くこととなり、その結果、リフィル部も錘ストッパー部の長さが短い方の径方向へ傾くことにより、リフィル部の後端部は上記リフィル収納支持部の係合部に係合することとなる。
【００１１】
請求項２記載の考案にあっては、上記リフィル収納支持部は筒状に形成され、上記凹部は幅方向中央部に形成される一方、上記係合部は上記凹部の周囲に形成された段部により構成されていることを特徴とする。
従って、非使用時には上記リフィル部の後端部は上記リフィル収納支持部の凹部内に収納されていると共に、使用時には上記リフィル部の後端部は上記リフィル収納部の段部に係合している。
【００１２】
請求項３記載の考案にあっては、上記リフィル収納支持部は、上記ボディ部とは別体に形成され、クリップ部と一体に形成された筒状部材により構成されていることを特徴とする。
【００１３】
請求項４記載の考案にあっては、上記錘部は全体円筒状に形成されていることを特徴とする。
【００１４】
請求項５記載の考案にあっては、上記リフィルの先端部にはコイルスプリングが挿通配置され、上記コイルスプリングの先端部は上記ボディ部の先端開口部の周縁部に係合固定されると共に、上記コイルスプリングの後端部は、上記錘ストッパー部の先端部側端部に係合固定されることを特徴とする。
【００１５】
従って、請求項５記載の考案にあっては、使用時には上記ボディを把持して軸方向に振ることにより上記錘部をリフィル部に沿ってリフィル部先端部方向へ摺動させて上記錘ストッパー部に衝接させた場合には、上記リフィル部の先端部は上記コイルスプリングの付勢力に抗してボディ部の先端部から外方へ突出する。また、上記リフィル部は上記コイルスプリングの付勢力により後端部は上記係合部に押圧されることとなる。
【００１６】
請求項６記載の考案にあっては、上記錘ストッパー部は円筒状に形成され、上端部は軸方向に沿って斜めに形成された斜端面部として形成されていることを特徴とする。
【００１７】
従って、請求項６記載の考案にあっては、使用時にボディを把持してボディの軸方向に振り、上記錘部が錘ストッパー部の斜端面部に衝接した場合には、錘部は錘ストッパー部の長さが短い部位へ傾いて停止し、リフィル部も錘ストッパー部の長さが短い部位へ傾くこととなり、その結果、リフィル部も錘ストッパー部の長さが短い方の径方向へ傾くことにより、リフィル部の後端部は上記リフィル収納支持部の係合部に係合することとなる。
【考案の効果】
【００１８】
請求項１、２、４及び６記載の考案にあっては、使用時に、上記のようにボディを把持してボディの軸方向に振り、上記錘部が錘ストッパー部に衝接した場合には、錘部は錘ストッパー部の長さが短い部位へ傾いて停止し、リフィル部も錘ストッパー部の長さが短い部位へ傾くこととなり、その結果、リフィル部も錘ストッパー部の長さが短い方の径方向へ傾くことにより、リフィル部の後端部は上記リフィル収納支持部の係合部に係合することとなることから、ノック機構を使用することなく、簡易な構成で容易かつ迅速にリフィルをボディから突出させることができると共に、安定して筆記することができるボールペンを提供することができる。
【００１９】
請求項３記載の考案にあっては、上記リフィル収納支持部は、上記ボディ部とは別体に形成され、クリップ部と一体に形成された筒状部材により構成されていることから、部品点数を低減することができる。
【００２０】
請求項５記載の考案にあっては、使用時には上記ボディを把持して軸方向に振ることにより上記錘部をリフィル部に沿ってリフィル部先端部方向へ摺動させて上記錘ストッパー部に衝接させた場合には、上記リフィル部の先端部は上記コイルスプリングの付勢力に抗してボディ部の先端部から外方へ突出し、上記リフィル部は上記コイルスプリングの付勢力により後端部は上記係合部に押圧されることとなるため、リフィル部は所定の付勢力を以て上位係合部に押圧されることから、リフィル部は確実に係合部に係合し、使用者は安定した状態で筆記することができる。
【図面の簡単な説明】
【００２１】
【図１】本考案に係るボールペンの一実施の形態を示す縦断面図であって、リフィル部がボディ部内に収納された状態を示す図である。
【図２】本考案に係るボールペンの一実施の形態を示す縦断面図であって、リフィル部の先端部がボディ部から突出した状態を示す図である。
【図３】従来のボールペンを示す縦断面である。
【考案を実施するための最良の形態】
【００２２】
以下、添付図面に示す実施の形態に基づき、本考案を詳細に説明する。
図１に示すように、本実施の形態に係るボールペン１０は、筒状のボディ部１１と、上記ボディ部１１内に軸方向に移動可能に挿通配置されたリフィル部１２とを備え、使用時には上記リフィル部１２の先端部１４を上記ボディ部１１から突出させて筆記するように構成されている。
【００２３】
本実施の形態に係るボールペン１０は、さらに、上記リフィル部１２に軸方向に摺動可能に挿通された錘部１５と、上記リフィル部１２の上記ボディ部１１への収納時に後端部１６を収納保持する凹部１７及び上記リフィル部１２の突出時に後端部１６が係合する係合部１９を有するリフィル収納支持部２０と、上記錘部１５よりも先端部１４側に固定され、上記リフィル部１２の径方向において長さ寸法が異なって形成されている捶ストッパー部２１とを有している。
【００２４】
上記リフィル収納支持部２０は円筒状に形成され、上記凹部１７は幅方向中央部に形成される一方、上記係合部１９は上記凹部１７の周囲に形成された段部１３により構成されている。
【００２５】
上記リフィル収納支持部２０は、上記ボディ部１１とは別体に形成され、クリップ部２２と一体に形成された筒状部材により構成されている。
上記リフィル部１２の先端部にはコイルスプリング２３が挿通配置され、上記コイルスプリング２３の先端部は上記ボディ部１１の先端開口部の周縁部２４に係合固定されると共に、上記コイルスプリング２３の後端部は、上記錘ストッパー部２１の先端部側端部に係合固定されている。
【００２６】
上記錘ストッパー部２１は円筒状に形成され、上端部は軸方向に沿って斜めに形成された斜端面部２５として形成されている。
【００２７】
以下、本実施の形態に係るボールペン１０の作用について説明する。
本実施の形態に係るボールペン１０にあっては、図１に示すように、非使用時には上記リフィル部１２はボディ部１１内に収納されている。即ち、リフィル部１２の後端部１６は、上記リフィル収納支持部２０の凹部１７内に収納され、先端部１４はボディ部１１内に後退している。
この場合、上記リフィル部１２の先端部１４側にはコイルスプリング２３が配置され、上記錘ストッパー部２１を後端部方向に付勢していることからリフィル部１２の後端１６は上記リフィル収納支持部２０の凹部１７内に収納されている。
【００２８】
ボールペン１０の使用時には使用者は上記ボディ部１１を把持して軸方向に振ることにより上記錘部１５をリフィル部１２に沿ってリフィル部１２の先端部１４方向へ摺動させて上記錘ストッパー部２１に衝接させる。
その結果、錘ストッパー部２１は上記錘部１５の重量によりリフィル部１２の先端部１４方向へ押され、上記リフィル部１２は上記コイルスプリング２３の付勢力に抗して先端部１４方向へ移動し、後端部１６は上記凹部１７から離脱すると共に先端部１４はボディ部１１の外方へ突出する。
【００２９】
この場合、図２に示すように、上記錘部１５は錘ストッパー部２１の斜端面部２５の軸方向の長さの長い部位２６に衝接し、その後、軸方向の長さの短い部位２７側へ傾く。
【００３０】
この錘部１５の傾斜により上記リフィル部１２も錘ストッパー部２１の長さが短い部位２７側へ傾くこととなり、リフィル部１２の後端部１６は上記リフィル収納支持部２０の係合部１９に係合することとなる。
そして、上記コイルスプリング２３の付勢力により上記リフィル部１２の後端部１６は上記係合部１９へ強固に係合することから、上記リフィル部１２はボディ１１内において軸方向に沿って斜めに配置固定された状態となり、この状態で使用者は筆記することができる。
【００３１】
使用者が筆記後に再度、リフィル部１２をボディ部１１内に収納させようとする場合には、上記ボディ部１１を把持して軸方向に沿って振ることにより、上記錘部１５をリフィル部１２に沿って軸方向に摺動させることにより、上記錘ストッパー部２１に衝接させることによりコイルスプリング２３を収縮させ、その結果、上記リフィル部１２の後端部１６の上記係合部１９との係合を解除し、上記後端部１６を再度、上記リフィル収納支持部２０の凹部１７内に収納させることにより、ボディ部１１内に収納させるものである。
なお、上記リフィル、錘部、錘ストッパー部、リフィル収納支持部の具体的な構成に関しては上記実施の形態に限定されない。
【符号の説明】
【００３２】
１０  ボールペン
１１  ボディ部
１２  リフィル部
１３  段部
１４  先端部
１５  錘部
１６  後端部
１７  凹部
１９  係合部
２０  リフィル収納支持部  
２１  錘ストッパー部
２２  クリップ部
２３  コイルスプリング
２４  周縁部
２５  斜端面部
２６  長い部位
２７  短い部位
３０  リフィル
３１  ボディ
３２  段部
３３  錘
３４  ボールペン
３５  先端開口部
【図１】
0003161910.tif 000003
【図２】
0003161910.tif 000004
【図３】
0003161910.tif 000005